(57)【要約】【課題】接続装置間で重複する機能が存在する場合であっても、ユーザが所望する機能を容易に選択して使用することが可能な音声画像装置を提供する。【解決手段】本発明の音声画像装置は、装置を接続して音声／画像を含む信号を送受信する接続端子を備えている。また、接続端子により接続された外部装置と通信を行い、所定の機能を備えるか否かを示す機能情報を相互に送受信し、外部装置と音声画像装置とで重複する機能が存在するか否かを判別する機能判別部を備える。また、音声画像装置と外部装置とのいずれにおいて重複機能を動作させるかの選択指示を受け付ける機能選択部を備える。機能選択部は、重複機能の動作指示を検知した場合に、予め受け付けている選択指示に基づいて、音声画像装置と外部装置とのいずれで該当する重複機能を動作させるかを決定し、動作させる。【選択図】図１
2012244238.tif 000002
【特許請求の範囲】
【請求項１】
装置を接続して音声／画像を含む信号を送受信する接続端子を備えた音声画像装置において、
前記接続端子により前記音声画像装置に接続された装置である外部装置との間で、予め定められた機能を備えるか否かを示す機能情報を相互に送受信し、前記外部装置より受信した前記機能情報に基づいて、前記外部装置と前記音声画像装置とで重複する機能である重複機能を判別する機能判別部と、
前記音声画像装置と前記外部装置とのいずれにおいて前記重複機能を動作させるかに関する選択指示を受け付ける機能選択部を備えること
を特徴とする音声画像装置。
【請求項２】
前記機能選択部は、前記重複機能の動作指示を検知した場合に、予め受け付けている前記選択指示に基づいて、前記音声画像装置と前記外部装置とのいずれにおいて前記重複機能を動作させるかを決定し、前記重複機能を動作させること
を特徴とする請求項１に記載の音声画像装置。
【請求項３】
前記機能選択部は、前記音声画像装置が備える前記重複機能を動作させることを前記選択指示に基づいて決定した場合に、前記重複機能に関連する前記音声画像装置の各部を制御し、
前記機能選択部は、前記外部装置が備える前記重複機能を動作させることを前記選択指示に基づいて決定した場合に、前記接続端子を用いて、前記重複機能の動作指示を含む信号を前記外部装置へ送信すること
を特徴とする請求項２に記載の音声画像装置。
【請求項４】
前記音声画像装置は、前記音声画像装置に対する操作入力を受け付ける操作部を備え、
前記機能選択部は、前記音声画像装置と前記外部装置とのいずれにおいて前記重複機能を動作させるかの選択指示を、前記操作部により受け付け、
前記機能選択部は、前記操作部により予め定められた種別の機能の実行指示が検知された場合に、前記音声画像装置及び前記外部装置が備える該機能を示す機能表示画像を生成して出力し、動作させる該機能の選択指示を前記操作部により受け付けること
を特徴とする請求項３に記載の音声画像装置。
【請求項５】
前記機能選択部は、前記機能表示画像を生成する際に、前記音声画像装置と前記外部装置とで重複する機能を装置毎に表さず一機能として表した前記機能表示画像を生成すること
を特徴とする請求項４に記載の音声画像装置。
【請求項６】
前記音声画像装置は、通信網に接続して通信を行う通信部を備え、
前記機能判別部は、前記音声画像装置または前記外部装置が備える機能のうち、前記通信部を用いる機能であるネットワーク機能を対象として、前記重複機能の判別を行い、
前記機能選択部は、前記ネットワーク機能の実行指示が検知された場合に、前記音声画像装置及び前記外部装置が備える前記ネットワーク機能を示す前記機能表示画像を生成して出力し、動作させる前記ネットワーク機能の選択指示を前記操作部により受け付けること
を特徴とする請求項５に記載の音声画像装置。
【請求項７】
前記接続端子が、ＨＤＭＩ（High-Definition Multimedia Interface）端子を備え、
前記音声画像装置及び前記外部装置が、前記ＨＤＭＩ端子を用い、且つ制御プロトコルとしてＣＥＣ（Consumer Electronics Control）を用いて前記機能情報の送受信を行うこと
を特徴とする請求項６に記載の音声画像装置。
【発明の詳細な説明】
【技術分野】
【０００１】
本発明は、音声画像装置に関するものであり、特に複数の音声画像装置の相互接続及び連動処理が可能な音声画像装置に関する。
【背景技術】
【０００２】
近年、デジタル技術の多機能化、多様化により、ＤＶＤ（Digital Versatile Disc）プレーヤやＨＤＤ（Hard Disk Drive）レコーダ、テレビジョン装置等の様々な音声画像装置が普及している。これにより例えば、ＤＶＤやＨＤＤに記録されている画像／音声デジタルデータをデコードし、テレビジョン装置で出力することが可能である。
【０００３】
特にデジタル方式の音声画像装置では、画像／音声信号を出力するだけではなく、様々なデジタルデータを、音声画像装置間でやりとりする機能を備えたものが実用化されている。具体的には、ＨＤＭＩ（High-Definition Multimedia Interface）端子により音声画像装置、パソコン、プリンタ等を相互接続し、ＣＥＣ（Consumer Electronics Control）をプロトコルとして通信制御を行うことにより、相互にデータ通信を行うことが可能である。
【０００４】
ＣＥＣを用いることにより、例えばＤＶＤレコーダとテレビジョン装置とで電源ＯＮ／ＯＦＦを同期させるといった、装置間での連動処理を実現することが可能である。
【０００５】
また近年、インターネット等の広域通信網が発展してきたことから、ネットワークサービスを利用するための、ネットワーク機能を備える音声画像装置が実用化されている。従って、接続された複数の音声画像装置が、同一のネットワーク機能を持ち、機能が重複する可能性があった。
【０００６】
このような背景から、お互いが保持する機能を装置間で確認し合い、重複する機能を相互利用したり、或いは重複する機能の一部を停止させたりする技術が開示・提案されている。また、相互利用できる機能とできない機能とを区別して提示する技術も開示・提案されている。（例えば特許文献１〜特許文献３を参照）。
【先行技術文献】
【特許文献】
【０００７】
【特許文献１】特開２０１０−２０６４４１号公報
【特許文献２】特開２０１０−４４６７９号公報
【特許文献３】特開２００８−４８１３６号公報
【発明の概要】
【発明が解決しようとする課題】
【０００８】
一般的に両接続装置が重複する機能を持つ場合、ユーザはいずれの装置の機能を使用するかを、逐一選択する必要があった。重複する機能であっても、装置が異なれば、設定や蓄積情報（例えば取得コンテンツ）が異なるためである。従ってユーザは、どちらの装置の機能を使用しているかを常に認識しなければならず、認識を誤った場合、誤操作に繋がるという問題があった。
【０００９】
本発明は、上記の問題を鑑みてなされたものであり、装置間で相互通信を行って連動する機能を備えた音声画像装置であって、接続装置間で重複する機能が存在する場合であっても、ユーザが所望する機能を容易に選択して使用することが可能な音声画像装置を提供することを目的とする。
【課題を解決するための手段】
【００１０】
上記目的を達成するために本発明の音声画像装置は、装置を接続して音声／画像を含む信号を送受信する接続端子を備えた音声画像装置において、前記接続端子により前記音声画像装置に接続された装置である外部装置との間で、予め定められた機能を備えるか否かを示す機能情報を相互に送受信し、前記外部装置より受信した前記機能情報に基づいて、前記外部装置と前記音声画像装置とで重複する機能である重複機能を判別する機能判別部と、前記音声画像装置と前記外部装置とのいずれにおいて前記重複機能を動作させるかに関する選択指示を受け付ける機能選択部を備えることを特徴としている。
【００１１】
この構成によると、本発明の音声画像装置は、装置を接続して音声／画像を含む信号を送受信する接続端子を備えている。また、接続端子により接続された外部装置と通信を行い、所定の機能を備えるか否かを示す機能情報を相互に送受信し、外部装置と音声画像装置とで重複する機能が存在するか否かを判別する機能判別部を備える。また、音声画像装置と外部装置とのいずれにおいて重複機能を動作させるかの選択指示を受け付ける機能選択部を備える。
【００１２】
また、上記目的を達成するために前記機能選択部は、前記重複機能の動作指示を検知した場合に、予め受け付けている前記選択指示に基づいて、前記音声画像装置と前記外部装置とのいずれにおいて前記重複機能を動作させるかを決定し、前記重複機能を動作させることを特徴としている。
【００１３】
この構成によると、本発明の音声画像装置が備える機能選択部は、重複機能の動作指示を検知した場合に、予め受け付けている選択指示に基づいて、音声画像装置と外部装置とのいずれで該当する重複機能を動作させるかを決定し、動作させる。
【００１４】
また、上記目的を達成するために前記機能選択部は、前記音声画像装置が備える前記重複機能を動作させることを前記選択指示に基づいて決定した場合に、前記重複機能に関連する前記音声画像装置の各部を制御し、前記機能選択部は、前記外部装置が備える前記重複機能を動作させることを前記選択指示に基づいて決定した場合に、前記接続端子を用いて、前記重複機能の動作指示を含む信号を前記外部装置へ送信することを特徴としている。
【００１５】
この構成によると、機能選択部は、音声画像装置が備える重複機能を動作させることを決定した場合に、該当する重複機能に関連する音声画像装置の各部を制御する。逆に、外部装置が備える重複機能を動作させることを決定した場合に、接続端子を用いて、該当する重複機能の動作指示を含む信号を外部装置へ送信する。
【００１６】
また、上記目的を達成するために本発明の音声画像装置は、前記音声画像装置は、前記音声画像装置に対する操作入力を受け付ける操作部を備え、前記機能選択部は、前記音声画像装置と前記外部装置とのいずれにおいて前記重複機能を動作させるかの選択指示を、前記操作部により受け付け、前記機能選択部は、前記操作部により予め定められた種別の機能の実行指示が検知された場合に、前記音声画像装置及び前記外部装置が備える該機能を示す機能表示画像を生成して出力し、動作させる該機能の選択指示を前記操作部により受け付けることを特徴としている。
【００１７】
この構成によると、本発明の音声画像装置は、音声画像装置に対する操作入力を受け付ける操作部を備えている。機能選択部は、音声画像装置と外部装置とのいずれにおいて重複機能を動作させるかの選択指示を、操作部により受け付ける。また機能選択部は、操作部により所定操作が検知された場合に、音声画像装置及び外部装置が備える所定種別の機能を示す機能表示画像を生成して出力する。そして動作させる機能の選択指示を、操作部により受け付ける。
【００１８】
また、上記目的を達成するために本発明の音声画像装置が備える前記機能選択部は、前記機能表示画像を生成する際に、前記音声画像装置と前記外部装置とで重複する機能を装置毎に表さず一機能として表した前記機能表示画像を生成することを特徴としている。
【００１９】
この構成によると、機能選択部は、各装置が備える機能を示す画像を生成する際に、装置毎で重複する機能を一機能として表した画像、つまり重複機能を装置毎に個別に表さない画像を生成する。
【００２０】
また、上記目的を達成するために本発明の音声画像装置は、通信網に接続して通信を行う通信部を備え、前記機能判別部は、前記音声画像装置または前記外部装置が備える機能のうち、前記通信部を用いる機能であるネットワーク機能を対象として、前記重複機能の判別を行い、前記機能選択部は、前記ネットワーク機能の実行指示が検知された場合に、前記音声画像装置及び前記外部装置が備える前記ネットワーク機能を示す前記機能表示画像を生成して出力し、動作させる前記ネットワーク機能の選択指示を前記操作部により受け付けることを特徴としている。
【００２１】
この構成によると、本発明の音声画像装置は、通信網に接続して通信を行う通信部を備えている。機能判別部は、音声画像装置または外部装置が備える機能のうち、通信部を用いる機能であるネットワーク機能の中から、重複機能を判別する。機能選択部は、ネットワーク機能の実行指示が検知された場合に、音声画像装置及び外部装置が備えるネットワーク機能を示す機能表示画像を生成して出力する。そして動作させるネットワーク機能の選択指示を、操作部により受け付ける。
【００２２】
また、上記目的を達成するために本発明の音声画像装置は、前記接続端子が、ＨＤＭＩ（High-Definition Multimedia Interface）端子を備え、前記音声画像装置及び前記外部装置が、前記ＨＤＭＩ端子を用い、且つ制御プロトコルとしてＣＥＣ（Consumer Electronics Control）を用いて前記機能情報の送受信を行うことを特徴としている。
【００２３】
この構成によると、接続端子は、ＨＤＭＩ端子を備える。音声画像装置及び外部装置は、ＨＤＭＩ端子を用い、且つ制御プロトコルとしてＣＥＣを用いて、機能情報の送受信を行う。
【発明の効果】
【００２４】
本発明によれば、複数の装置間で重複する機能について、いずれの装置で重複機能を動作させるかのユーザ選択を予め受け付け、選択結果に基づいて重複機能を実行する。これによりユーザは、複数の装置の機能を一画面で操作する場合において、各機能がいずれの装置の機能であるかを意識することなく、各機能を使用することができる。また重複機能が存在する場合に、ユーザが意図しない装置で重複機能が実行されるのを回避できるため、ユーザの混乱を招くことがない。
【図面の簡単な説明】
【００２５】
【図１】本発明の音声画像装置の構成を示すブロック図である。
【図２】本発明の接続処理フローを示すフロー図である。
【図３】本発明の接続処理シーケンスを示すシーケンス図である。
【図４】本発明の機能選択処理フローを示すフロー図である。
【図５】本発明の機能選択画面を示す画面図である。
【図６】本発明の機能選択画面を示す画面図である。
【図７】本発明の機能選択画面を示す画面図である。
【発明を実施するための形態】
【００２６】
以下に本発明の実施形態を、図面を参照しながら説明する。なお、ここで示す実施形態は一例であり、本発明はここに示す実施形態に限定されるものではない。
〈１．内部構成について〉
【００２７】
図１は、本発明の一実施形態に係るＡＶ（Audio Visual）システムに含まれる音声画像装置の構成を示すブロック図である。本実施形態のＡＶシステムは、ＨＤＤレコーダ１（＝音声画像装置）、テレビジョン装置２（＝音声画像装置、外部装置）、及び広域ネットワーク３（＝通信網）を含むように構成されている。
【００２８】
ＨＤＤレコーダ１は少なくとも、制御部１１、メモリ１２、操作部１３、放送受信部１４、信号処理部１５、ＨＤＤ１６、ネットワークＩ／Ｆ部１７（＝通信部）、外部接続端子１８（＝接続端子）を含むように構成されている。
【００２９】
制御部１１は、ＨＤＤレコーダ１の各部材の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、録画処理部１１ａ〜設定部１１ｅ（詳細は後述）を備えている。
【００３０】
メモリ１２は、ＨＤＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３１】
操作部１３は、ユーザが画像／音声の再生等を行うための各種指示をＨＤＤレコーダ１に対して行うためのものである。操作部１３により出力された指示は、制御部１１により受け付けられる。指示を受け付けた制御部１１は、指示の内容に基づいて再生処理や記録処理等を行う。
【００３２】
放送受信部１４は、外部のアンテナ（不図示）に接続されてデジタル／アナログ放送の選局、受信、周波数変換、増幅、復調等を行う。放送受信部１４は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００３３】
例えばデジタル放送を受信する場合、放送受信部１４に含まれるデジタルチューナが、中間周波信号の増幅及び検波を行う。これにより、ＭＰＥＧ２方式のデジタル信号であるＴＳ（＝Transport Stream）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。取得されたＴＳは、制御部１１からの指示により、信号処理部１５またはＨＤＤ１６へ与えられる。
【００３４】
信号処理部１５は、ＴＳを入力し、音声情報を含む音声デジタル信号と、画像情報を含む画像デジタル信号とに分離する多重分離部である。具体的には例えば、放送受信部１４より生成されたＴＳを、ＴＳパケットに分割する。そしてＴＳパケットを再結合することにより、音声／画像のＰＥＳを生成する。
【００３５】
そしてＰＥＳを結合することにより、ＥＳ（Elementary Stream＝符号化された音声／画像データ）を生成する。さらに信号処理部１５はＥＳの復号を行い、各種デジタル信号に変換する。復号により得られたデジタル信号は、記録する場合はＨＤＤ１６へ与えられる。またテレビジョン装置に出力する場合は、外部接続端子１８へ与えられる。
【００３６】
ＨＤＤ１６は、デジタルデータを記録する磁気記録媒体である。本実施形態では、主に録画する画像／音声データ等を記録するのに用いられる。
【００３７】
ネットワークＩ／Ｆ部１７は、ＨＤＤレコーダ１と広域ネットワーク３とを接続するためのインタフェースであり、例えば１００Ｂａｓｅ−ＴＸ規格のＬＡＮカード等が用いられる。通信Ｉ／Ｆ部１７にはツイストペアケーブル等の通信ケーブルが接続される。
【００３８】
外部接続端子１８は、例えばＨＤＭＩ端子やＵＳＢ（Universal Serial Bus）端子等を含む、複数の入出力端子からなるインタフェースである。外部接続端子１８はこれらの入出力端子を用いて、ＨＤＤレコーダ１とテレビジョン装置２とを接続し、デジタル信号の入出力を行う。
【００３９】
またＨＤＭＩ端子で接続された外部装置（本実施形態ではテレビジョン装置２）に対しては、ＣＥＣ等のプロトコルによる通信により、後述する接続処理及び機能選択処理を実施することが可能である。
【００４０】
テレビジョン装置２は、ＨＤＭＩ端子によりＨＤＤレコーダ１に接続された表示装置である。従ってテレビジョン装置２は、ＨＤＤレコーダ１との間で、ＣＥＣによる通信を行うことが可能である。
【００４１】
テレビジョン装置２は少なくとも、制御部２１、メモリ２２、操作部２３、放送受信部２４、信号処理部２５、表示部２６、ネットワークＩ／Ｆ部２７（＝通信部）、及び外部接続端子２８（＝接続端子）を含むように構成されている。なお、メモリ２２〜信号処理部２５、ネットワークＩ／Ｆ部２７、及び外部接続端子２８は、ＨＤＤレコーダ１のメモリ１２〜信号処理部１５、ネットワークＩ／Ｆ部１７、及び外部接続端子１８とほぼ同一の構成であるため、説明を省略する。
【００４２】
制御部２１は、テレビジョン装置２の各部材の駆動を制御することにより、画像／音声の出力処理等を統括制御するためのものである。制御部２１は例えば、複数のマイクロプロセッサから構成されている。また制御部２１は、ＨＤＤレコーダ１の制御部１１が備える通信制御部１１ｂ、機能判別部１１ｃ、及び機能選択部１１ｄと同等の機能を備える。
【００４３】
表示部２６は、放送受信部で受信して信号処理部２５で複合された画像、または外部接続端子２８により入力された画像を表示する。具体的には例えば、液晶ディスプレイ、ＥＬディスプレイ、又はプラズマディスプレイのような平板型ディスプレイを含む構成となっている。
〈２．機能部の構成について〉
【００４４】
ここで、本発明の一実施形態に係る接続処理及び機能選択処理を実施するための各機能部の関係を説明する。図１に示すように本実施形態のＨＤＤレコーダ１は、録画処理部１１ａ、通信制御部１１ｂ、機能判別部１１ｃ、機能選択部１１ｄ、及び設定部１１ｅを備えている。
【００４５】
録画処理部１１ａは、ＨＤＤ１６を用いた画像／音声の記録再生処理を行う。また録画処理部１１ａは、後述する設定部１１ｅが受け付けた設定内容に基づき、予約録画処理やダビング処理等を行う。
【００４６】
例えば予約録画処理を行う場合、録画処理部１１ａは、設定部１１ｅが受け付けた予約録画時刻が到来した時点で、予約設定された放送番組を受信するよう放送受信部１４を制御する。そして放送波に含まれる画像／音声から、タイトルや録画日時等を含む管理情報を付加した録画データを生成し、ＨＤＤ１６に記録する。
【００４７】
通信制御部１１ｂは、外部接続端子１８により接続された外部装置、例えばテレビジョン装置２と相互通信を行うための通信制御を行う。通信プロトコルには、主にＣＥＣを用いる。これにより、テレビジョン装置２と相互通信を行い、テレビジョン装置２に対して各種コマンド、例えば電源起動コマンドや選局コマンド等を送信することが可能である。
【００４８】
機能判別部１１ｃは、外部接続端子１８で接続された外部装置、例えばテレビジョン装置２と通信を行い、所定の機能を備えるか否かを示す機能情報を、テレビジョン装置２との間で送受信する。また機能判別部１１ｃは、取得した機能情報に基づいて、装置間で重複する機能（＝重複機能）を判別する。そして重複機能を示す機能名称や機能ＩＤを、メモリ１２に記録する。
【００４９】
機能選択部１１ｄは、上記の重複機能の動作に関して、いずれの装置で重複機能を動作させるかの選択を予めユーザより受け付け、設定情報としてメモリ１２に記録する。具体的には例えば、判別された重複機能を示す機能選択画面をテレビジョン装置２に表示し、重複機能毎に、ＨＤＤレコーダ１とテレビジョン装置２とのいずれで動作させるかの選択を、ユーザより受け付ける。
【００５０】
また機能選択部１１ｄは、重複機能の動作指示を検知した場合に、予め受け付けている上記のユーザ選択に基づいて、重複機能を動作させる装置を決定し、動作制御を行う。例えばＨＤＤレコーダ１で動作させる場合、機能選択部１１ｄは、該当機能に関連するＨＤＤレコーダ１の各装置を制御する。逆にテレビジョン装置２で動作させる場合、外部接続端子１８によりテレビジョン装置２と通信を行い、該当機能を動作させるための制御信号を送信する。
【００５１】
設定部１１ｅは、録画処理部１１ａが録画処理やダビング処理を行うための各種設定を、操作部１３を介してユーザより受け付ける。設定部１１ｅは例えば、録画時刻や録画チャンネル、録画モード等の指定を、操作部１３を介して受け付ける。
【００５２】
また設定部１１ｅは、上記の機能判別部１１ｃまたは機能選択部１１ｄの動作のＯＮ／ＯＦＦに関する設定を、操作部１３を介してユーザより受け付ける。これにより、本発明の接続処理及び機能選択処理を実施するか否かを、ユーザが切り換えることが可能である。
【００５３】
設定部１１ｅは、これらの各種設定の入力を受け付けるための画面を生成し、外部接続端子１８を介してテレビジョン装置２へ出力し、操作部１３による操作入力を待ち受ける。
〈３．接続処理について〉
【００５４】
ここで、本発明の第一の実施形態に係るＨＤＤレコーダ１及びテレビジョン装置２が実施する接続処理について、図２及び図３を用いながら説明する。図２に示す処理は、ＨＤＤレコーダ１及びテレビジョン装置２の電源が駆動しており、且つＨＤＤレコーダ１とテレビジョン装置２との接続が検知された時点で、ＨＤＤレコーダ１側で開始される。
【００５５】
本処理の開始後、機能判別部１１ｃはステップＳ１１０において、接続された外部装置、つまりテレビジョン装置２に対して所定の信号を送信することにより、本機能に対応しているか否かを判定する。テレビジョン装置２が本機能に対応している、つまり機能判別部１１ｃと同等の機能を備えている場合、所定の応答が返ってくる。備えていない場合、応答が返ってこない。
【００５６】
所定の応答が返ってこない場合、対応していないとみなし、後述するステップＳ１５０へ移行する。応答が返ってきた場合、機能判別部１１ｃはステップＳ１２０において、テレビジョン装置２より、所定種別の機能の有無を示す機能情報を取得する。そして機能情報に基づいて、重複機能が存在するか否かを判定する。
【００５７】
なお本実施形態では、所定種別の機能の一例として、ネットワークＩ／Ｆ部１７を用いたネットワーク機能を例に説明を行う。ネットワーク機能としては例えば、広域ネットワーク３を介して所定のコンテンツサーバより画像／音声コンテンツを取得するコンテンツ取得機能があげられる。
【００５８】
重複機能が存在する場合、機能選択部１１ｄはステップＳ１３０において、検知された重複機能について、以前にユーザからの選択指示を受け付けたか否かを判定する。既に受け付けている場合、後述するステップＳ１５０へ移行する。選択指示を受け付けていない場合、機能選択部１１ｄはステップＳ１４０において、重複機能について、ＨＤＤレコーダ１とテレビジョン装置２とのいずれで重複機能を動作させるか選択指示を受け付ける。
【００５９】
具体的には例えば、重複機能の一覧画面を表示するための画像を生成し、テレビジョン装置２に出力する。そしてこの一覧画面が表示されている状態で、操作部１３による選択指示を、重複機能毎にユーザより受け付ける。受け付けた選択内容は、設定情報としてメモリ１２に記録される。
【００６０】
上記の処理が完了すると、機能選択部１１ｄはステップＳ１５０において、通常画面を表示した後、本処理を終了する。
【００６１】
上記の処理フローにおいて発生するＨＤＤレコーダ１とテレビジョン装置２との信号の送受信について、図３の処理シーケンスを用いて説明する。ＨＤＭＩケーブルによる両装置の接続が検知されると、機能判別部１１ｃはテレビジョン装置２に対して、ベンダコマンドの送信を行う。ベンダコマンドはベンダに特有のコマンドであり、ベンダコマンドに対してＯＫが返信されると、両装置のベンダが同一であると判定できる。
【００６２】
ベンダコマンドに対してＯＫが返信されると、機能判別部１１ｃは機能コマンドを送信する。機能コマンドは、本発明の機能判別部１１ｃに該当する機能を備えているか否かを判定するためのコマンドである。
【００６３】
機能コマンドに対してＯＫが返信されると、機能判別部１１ｃは機能ＩＤ要求コマンドを送信する。これを受けたテレビジョン装置２の制御部２１は、所持するネットワーク機能の種別を示す機能ＩＤを返信する。
【００６４】
機能ＩＤを返信された機能判別部１１ｃは、ＨＤＤレコーダ１が所持するネットワーク機能の機能ＩＤと比較することにより、重複機能の判別を行う。そして必要に応じて、重複機能に関する選択指示をユーザより受け付ける（ステップＳ１４０）。
【００６５】
選択指示が受け付けられると、機能判別部１１ｃは、ＨＤＤレコーダ１が所持しており且つテレビジョン装置２が所持していないネットワーク機能を示す機能名称と、当該機能を示すアイコン画像とを、テレビジョン装置２へ送信する。
【００６６】
これを受けたテレビジョン装置２の制御部２１は、受信した情報をメモリ２２に記録する。これにより、テレビジョン装置２で、両装置が備えるネットワーク機能の全てを提示可能となる。
〈４．機能選択処理について〉
【００６７】
ここで、本発明の一実施形態に係るＨＤＤレコーダ１が実施する機能選択処理について、図４を用いながら説明する。なお、本実施形態ではＨＤＤレコーダ１が機能選択処理を実施する例を説明する。ただしテレビジョン装置２の制御部２１が、機能選択部１１ｄに相当する機能を備える場合、テレビジョン装置２で以下の機能選択処理を実施することも可能である。
【００６８】
図４に示す処理は、ＨＤＤレコーダ１の電源が駆動している状態において、所定機能（本実施形態ではネットワーク機能）の実行指示が検知されたタイミングで開始される。ネットワーク機能の実行指示が検知された場合、機能選択部１１ｄはステップＳ２１０において、ＨＤＭＩケーブルによりテレビジョン装置２が接続されているか否かを判定する。接続されていない場合、後述するステップＳ２４０へ移行する。
【００６９】
接続されている場合、機能選択部１１ｄはステップＳ２２０において、テレビジョン装置２に上記の機能コマンドを送信し、本機能に対応しているか否かを判定する。対応していない場合、後述するステップＳ２４０へ移行する。
【００７０】
対応している場合、機能選択部１１ｄはステップＳ２３０において、本機能を実施するための各種設定情報をメモリ１２より読み出す。各種設定情報には例えば、重複機能のＩＤや名称、片方の装置のみ所持するネットワーク機能のＩＤや名称、各ネットワーク機能を実行する際のパラメータ等が含まれる。
【００７１】
次に機能選択部１１ｄはステップＳ２４０において、ネットワーク機能の機能一覧画面を表示し、ユーザからの選択指示を受け付ける。図５は、上記の処理の結果表示される、機能一覧画面の一例を示している。
【００７２】
また図６は、上記の処理が行われず、ＨＤＤレコーダ１単体で表示する機能一覧画面、つまりテレビジョン装置２との重複機能を考慮しない機能一覧画面を示している。また図７は、上記の処理が行われず、テレビジョン装置２単体で表示する機能一覧画面、つまりＨＤＤレコーダ１との重複機能を考慮しない機能一覧画面を示している。
【００７３】
図５〜図７の例では、ＨＤＤレコーダ１がネットワーク機能Ａ〜Ｄを所持している。またテレビジョン装置２がネットワーク機能Ａ、Ｂ、及びＥを所持している。従ってネットワーク機能Ａ及びＢが、重複機能となる。
【００７４】
図５に示すように、重複機能（ネットワーク機能Ａ及びＢ）は、それらを所持する装置毎に個別に表示するのではなく、それぞれ一機能として表示される。重複しない機能（ネットワーク機能Ｃ〜Ｅ）については、全てが機能一覧画面に表示される。
【００７５】
次に機能選択部１１ｄはステップＳ２５０において、ユーザにより選択されたネットワーク機能が、いずれの装置が所持する機能であるかを判別する。なお重複機能が選択された場合、メモリ１２に記録されている設定情報に基づいて、重複機能を動作させる装置を判別する。
【００７６】
判別の結果、テレビジョン装置２で実施すべき機能である場合、機能選択部１１ｄはステップ２６０において、該当機能を実施するようテレビジョン装置２へ指示する。なおこの指示は、ＨＤＭＩケーブルを介して所定の制御コマンドを送信することにより行う。なおこの際、テレビジョン装置２が外部入力状態である場合、表示切り換えを行い、テレビジョン装置２で実施されるネットワーク機能を表示するための画面へ移行する。この切り換えは、ＣＥＣコマンドを用いて行う。
【００７７】
判別の結果、ＨＤＤレコーダ１で実施すべき機能である場合は、機能選択部１１ｄはステップ２７０において、該当機能を実施するよう、ＨＤＤレコーダ１の各部を制御する。なおこの際、テレビジョン装置２が外部入力ではない、つまりＨＤＤレコーダ１が出力する画像を表示する状態ではない場合は、外部入力への切り換えを行う。この切り換えは、ＣＥＣコマンドを用いて行う。
【００７８】
以上に説明した本実施形態によれば、接続された複数の装置間で所定機能（上記ではネットワーク機能）が重複する場合に、ＨＤＭＩのＣＥＣ機能を用いて、重複機能を実施する装置を選択するようメッセージを表示し、予めユーザ選択を受け付ける。そして該当機能を実施する場合に、予めユーザ選択されている側の装置で所定機能を動作させる。
【００７９】
このためユーザは、複数の装置の機能を一画面で操作する場合において、各機能がいずれの装置の機能であるかを意識することなく、各機能を利用することができる。また重複機能に関して、ユーザが意図しない装置で重複機能が実施されることを回避できるため、ユーザの混乱を招くことがない。
［その他の実施の形態］
【００８０】
以上、好ましい実施の形態及び実施例を挙げて本発明を説明したが、本発明は必ずしも上記実施の形態に限定されるものではなく、その技術的思想の範囲内において様々に変形して実施することができる。
【００８１】
従って本発明は、以下の形態にも適用可能である。
【００８２】
（Ａ）上記実施形態では、音声画像装置の一例としてＨＤＤレコーダ１及びテレビジョン装置２を例に挙げているが、これ以外の音声画像装置を用いて本発明を実施する形態でもよい。例えば、ＤＶＤ（Digital Versatile Disc）プレーヤやＳＴＢ（Set Top Box）等を用いる形態であってもよい。
【００８３】
（Ｂ）上記実施形態では、本発明の接続処理及び機能選択処理に関わる各機能部が、マイクロプロセッサ等の演算処理装置上でプログラムを実行することにより実現されているが、各機能部が複数の回路により実現される形態でもよい。
【００８４】
（Ｃ）上記実施形態では、複数の音声画像装置を接続する接続手段としてＨＤＭＩを例に説明を行っているが、これ以外の接続手段により各装置を接続して、上述の接続処理及び機能選択処理を実施する形態でもよい。例えばＵＳＢ、ＩＥＥＥ１３９４、またはＲＣ２３２Ｃ等を接続手段としたり、独自規格の接続端子やプロトコルを用いたりする形態でもよい。
【００８５】
（Ｄ）接続検知時の処理シーケンス（図３）について、受け付けたユーザ選択の結果をＨＤＤレコーダ１からテレビジョン装置２に送信し、機能選択結果をテレビジョン装置２に記録する形態でもよい。これにより、重複するネットワーク機能の実行指示がテレビジョン装置２に対してなされた場合に、いずれの機器のネットワーク機能を使用するかを、テレビジョン装置２側で判定することが可能である。
【００８６】
（Ｅ）上記実施形態では、テレビジョン装置２の制御部２１が、機能判別部１１ｃ、及び機能選択部１１ｄと同等の機能を持っている例を説明しているが、機能判別部１１ｃと同等の機能のみを持つ形態でもよい。逆に、ＨＤＤレコーダ１が機能選択部１１ｄを持たず、テレビジョン装置２の制御部２１が、機能判別部１１ｃ、及び機能選択部１１ｄと同等の機能を持つことによって、テレビジョン装置２が処理主体となって図２〜図４の処理を実施する形態でもよい。
【００８７】
（Ｆ）上記に関連して、テレビジョン装置２が機能選択部１１ｄを備えず、且つテレビジョン装置２においてネットワーク機能の選択画面表示指示が検知された場合に、処理主体をＨＤＤレコーダ１の機能選択部１１ｄに移行させるとともに、テレビジョン装置２の表示を外部入力、つまりＨＤＤレコーダ１からの画像信号を表示させるモードに移行させることにより、ネットワーク機能の選択指示を受け付ける形態でもよい。
【００８８】
（Ｇ）上記実施形態では、重複するか否かを判定する所定機能としてネットワーク機能を例に説明を行っているが、これ以外の機能に関して重複判定を行い、片側の装置でのみ動作させる形態でもよい。例えばＨＤＤレコーダ１とテレビジョン装置２との両方に録画機能が備わっている場合、録画機能を重複機能とみなし、予めユーザに選択された側の装置でのみ、録画機能を動作させる形態でもよい。
【００８９】
（Ｈ）上記実施形態では、重複機能を備える音声画像装置が二台である例を説明しているが、例えばテレビジョン装置にＨＤＤレコーダとＤＶＤプレーヤとの両方が接続されている場合のように、三台以上の音声画像装置が相互接続されている状態において、本発明を実施する形態でもよい。
【符号の説明】
【００９０】
１      ＨＤＤレコーダ（音声画像装置）
２      テレビジョン装置（音声画像装置、外部装置）
３      広域ネットワーク（通信網）
１１    制御部
１１ａ  録画処理部
１１ｂ  通信制御部
１１ｃ  機能判別部
１１ｄ  機能選択部
１１ｅ  設定部
１２    メモリ
１３    操作部
１７    ネットワークＩ／Ｆ部（通信部）
１８    外部接続端子（接続端子）
２１    制御部
２２    メモリ
２３    操作部
２７    ネットワークＩ／Ｆ部（通信部）
２８    外部接続端子（接続端子）
【図１】
2012244238.tif 000003
【図２】
2012244238.tif 000004
【図３】
2012244238.tif 000005
【図４】
2012244238.tif 000006
【図５】
2012244238.tif 000007
【図６】
2012244238.tif 000008
【図７】
2012244238.tif 000009